【手続補正書】
【提出日】平成29年1月25日(2017.1.25)
【手続補正１】
【補正対象書類名】特許請求の範囲
【補正対象項目名】全文
【補正方法】変更
【補正の内容】
【特許請求の範囲】
【請求項１】
複数の画像形成速度によって画像を形成可能な画像形成装置であって、
第１色の第１画像を形成する第１画像形成部と、前記第１色とは異なる第２色の第２画像を形成する第２画像形成部と、を有し、前記第１画像形成部と前記第２画像形成部とを用いて前記画像を形成する画像形成手段と、
シートを格納する格納手段と、
前記第１画像と前記第２画像とを担持し、前記第１画像と前記第２画像とを搬送する像担持体と、
前記像担持体に担持された前記第１画像及び前記第２画像を前記シートに転写する転写手段と、
前記画像形成手段を制御して、前記第１画像形成部により形成された第１測定画像と前記第２画像形成部により形成された第２測定画像とを含む測定パターンを形成させる制御手段と、
前記像担持体に形成された前記測定パターンを測定する測定手段と、
第１画像形成速度において前記画像形成手段により形成された第１測定パターンの前記測定手段による第１測定結果に基づき、前記像担持体の搬送方向における、前記第１測定画像と前記第２測定画像との相対位置に関する第１情報を決定し、前記第１画像形成速度とは異なる第２画像形成速度において前記画像形成手段により形成された第２測定パターンの前記測定手段による第２測定結果に基づき、前記像担持体の前記搬送方向における、前記第１測定画像と前記第２測定画像との相対位置に関する第２情報を決定する決定手段と、
前記決定手段により決定された前記第１情報と前記第２情報とに基づき相関データを生成する生成手段と、
前記画像形成手段が前記第１画像形成速度において前記画像を形成する場合、前記決定手段により決定された前記第１情報に基づき、前記搬送方向における前記第１画像と前記第２画像との相対位置を補正し、前記画像形成手段が前記第２画像形成速度において前記画像を形成する場合、前記決定手段により決定された前記第１情報と前記生成手段により生成された前記相関データとに基づき、前記搬送方向における前記第１画像と前記第２画像との相対位置を補正する補正手段と、
を備え、
前記制御手段は、第１条件が満たされた場合、前記画像形成手段に前記第１画像形成速度において前記測定パターンを形成させる第１画像形成処理を実行し、前記格納手段が前記第２画像形成速度に対応するシートを格納している状態で第２条件が満たされた場合、前記画像形成手段に前記第１画像形成速度及び前記第２画像形成速度の夫々において前記測定パターンを形成させる第２画像形成処理を実行し、
前記第２画像形成処理は、前記格納手段が前記第２画像形成速度に対応するシートを格納していない状態で前記第２条件が満たされた場合には実行されないことを特徴とする画像形成装置。
【請求項２】
前記生成手段は、ユーザから前記測定パターンの測定指示が入力されたことに応じて、前記相関データを生成することを特徴とする請求項１に記載の画像形成装置。
【請求項３】
画像が形成されたシートの枚数をカウントするカウント手段をさらに有し、
前記第２条件は、前記カウント手段によりカウントされた枚数が閾値を超えた場合に満たされることを特徴とする請求項１又は２に記載の画像形成装置。
【請求項４】
前記第１条件は、前記カウント手段によりカウントされた枚数が他の閾値を超えると満たされ、
前記閾値は、前記他の閾値より大きいことを特徴とする請求項３に記載の画像形成装置。
【請求項５】
前記画像形成装置の温度を検出する検出手段をさらに備えており、
前記決定手段は、前記検出手段により検出された現在温度と予め記憶された温度との差が所定温度より大きくなった場合に、前記第１画像形成速度において前記画像形成手段により形成された前記第１測定パターンを形成させ、前記測定手段に前記第１測定パターンを測定させ、前記第１測定パターンの第１測定結果に基づき前記第１情報を決定することを特徴とする請求項１乃至４のいずれか１項に記載の画像形成装置。
【請求項６】
前記シートに関する情報と画像形成速度との関係を記憶する記憶手段をさらに備えることを特徴とする請求項１乃至５のいずれか１項に記載の画像形成装置。
【請求項７】
前記シートに関する前記情報は、前記シートの厚みを含み、
前記画像形成速度は、前記シートの厚みに応じて変化することを特徴とする請求項６に記載の画像形成装置。
【請求項８】
前記シートに関する前記情報は、前記シートの種類を含み、
前記画像形成速度は、前記シートの種類に応じて変化することを特徴とする請求項６又は７に記載の画像形成装置。
【請求項９】
前記第１画像形成速度は、前記第２画像形成速度より速いことを特徴とする請求項１乃至８のいずれか１項に記載の画像形成装置。
【請求項１０】
前記制御手段は、前記格納手段が前記第２画像形成速度に対応するシートを格納していない状態で前記第１条件が満たされた場合、前記第１画像形成処理を実行することを特徴とする請求項１乃至９のいずれか１項に記載の画像形成装置。
【手続補正２】
【補正対象書類名】明細書
【補正対象項目名】０００８
【補正方法】変更
【補正の内容】
【０００８】
本発明の一側面によると、複数の画像形成速度によって画像を形成可能な画像形成装置は、第１色の第１画像を形成する第１画像形成部と、前記第１色とは異なる第２色の第２画像を形成する第２画像形成部と、を有し、前記第１画像形成部と前記第２画像形成部とを用いて前記画像を形成する画像形成手段と、シートを格納する格納手段と、前記第１画像と前記第２画像とを担持し、前記第１画像と前記第２画像とを搬送する像担持体と、前記像担持体に担持された前記第１画像及び前記第２画像を前記シートに転写する転写手段と、前記画像形成手段を制御して、前記第１画像形成部により形成された第１測定画像と前記第２画像形成部により形成された第２測定画像とを含む測定パターンを形成させる制御手段と、前記像担持体に形成された前記測定パターンを測定する測定手段と、第１画像形成速度において前記画像形成手段により形成された第１測定パターンの前記測定手段による第１測定結果に基づき、前記像担持体の搬送方向における、前記第１測定画像と前記第２測定画像との相対位置に関する第１情報を決定し、前記第１画像形成速度とは異なる第２画像形成速度において前記画像形成手段により形成された第２測定パターンの前記測定手段による第２測定結果に基づき、前記像担持体の前記搬送方向における、前記第１測定画像と前記第２測定画像との相対位置に関する第２情報を決定する決定手段と、前記決定手段により決定された前記第１情報と前記第２情報とに基づき相関データを生成する生成手段と、前記画像形成手段が前記第１画像形成速度において前記画像を形成する場合、前記決定手段により決定された前記第１情報に基づき、前記搬送方向における前記第１画像と前記第２画像との相対位置を補正し、前記画像形成手段が前記第２画像形成速度において前記画像を形成する場合、前記決定手段により決定された前記第１情報と前記生成手段により生成された前記相関データとに基づき、前記搬送方向における前記第１画像と前記第２画像との相対位置を補正する補正手段と、を備え、前記制御手段は、第１条件が満たされた場合、前記画像形成手段に前記第１画像形成速度において前記測定パターンを形成させる第１画像形成処理を実行し、前記格納手段が前記第２画像形成速度に対応するシートを格納している状態で第２条件が満たされた場合、前記画像形成手段に前記第１画像形成速度及び前記第２画像形成速度の夫々において前記測定パターンを形成させる第２画像形成処理を実行し、前記第２画像形成処理は、前記格納手段が前記第２画像形成速度に対応するシートを格納していない状態で前記第２条件が満たされた場合には実行されないことを特徴とする。